(57)【要約】  【課題】  貯留部の水面の振動周波数を検出する場合に比べて簡単な構成及び処理でポンプの異常動作を検出することができる食器洗浄機を提供する。  【解決手段】  洗浄槽１０内に所定量給水された水を貯留する貯留部１１、及び貯留部１１に貯留された水を吸引するポンプ５０を備え、ポンプ５０が吸引した水を洗浄槽１０内の食器に噴射するようにしてある食器洗浄機に、貯留部１１内の水位に応じて上下する浮体７１、及び貯留部１１に所定量の水が貯留されている場合の位置に浮体７１があることを検出する検出スイッチ７３を備え、浮体７１が前記位置にあることを検出した場合、制御部がポンプ５０を停止させるための制御信号をポンプ駆動部へ出力するように構成する。【選択図】        図５
2006320394.tif 000002
【特許請求の範囲】
【請求項１】
洗浄槽内に所定量給水された水を貯留する貯留部と、該貯留部に貯留された水を吸引するポンプとを備え、該ポンプが吸引した水を前記洗浄槽内の食器に噴射するようにしてある食器洗浄機において、
前記貯留部内の水位に応じて上下する浮体と、
該浮体が所定位置以上の高さにあることを検出する検出手段と、
前記浮体が前記所定位置以上の高さにあることを前記検出手段が検出した場合、前記ポンプを停止させる停止手段と
を備えることを特徴とする食器洗浄機。
【請求項２】
前記貯留部と連通し、上下移動可能に前記浮体を収容する収容部を前記洗浄槽の外側に備える
ことを特徴とする請求項１に記載の食器洗浄機。
【請求項３】
前記貯留部の外部に配設しており、前記洗浄槽内で循環している水を加熱するヒータと、
前記洗浄槽内の水温を検出する水温検出部と、
該水温検出部が検出した水温に基づいて、前記ヒータが水を加熱している場合に水温が上昇しているか否かを判定する判定手段と
を備え、
前記停止手段は、
水温が上昇していないと前記判定手段が判定した場合、前記ポンプを停止させるようにしてある
ことを特徴とする請求項１又は請求項２に記載の食器洗浄機。
【発明の詳細な説明】
【技術分野】
【０００１】
本発明は、食器洗浄機に関し、特に洗浄槽に給水された水を吸引して食器に噴射するためのポンプの異常動作を検出するように構成してある食器洗浄機に関する。
【背景技術】
【０００２】
従来の食器洗浄機は、所定量給水されて洗浄槽の貯留部に貯留された水をポンプで吸引し、吸引した水を洗浄ノズルから食器に噴射することにより、食器を洗浄するように構成してある。
【０００３】
また、食器洗浄機は、貯留部に連通しており、水位によって水面の面積が変化するように形成された漏斗状部分を有し、水面の面積に応じて変化する水面の振動周波数を検出することにより貯留部の水位を検出する水位検出部を備えている。そして、振動周波数が所定の周波数範囲にあるか否かを判定することで、ポンプが異常動作している場合の水位を検出し、ポンプの異常を通知するように構成してある。ポンプの異常動作、例えばポンプを動作せるモータのロック状態、キャビテーション等が発生している場合の貯留部の水位は、貯留部に貯留されている水が吸引されないため、ポンプが正常に動作して水を吸引している場合に比べて高い。従って、水位検出部によってポンプが水を吸引していない状態の水位を検出することで、ポンプの異常動作を間接的に検出することができる。
【特許文献１】特開平５−２３２８０号公報
【発明の開示】
【発明が解決しようとする課題】
【０００４】
しかしながら、従来の食器洗浄機においては、ポンプが異常動作している場合の水位に対応する周波数範囲を予め測定して、ポンプを動作させるためのマイクロコンピュータに記憶させる必要があり、また水面の振動周波数を測定し、測定した振動周波数と前記周波数範囲とを比較する処理を実行することにより、ポンプの異常動作を検出するため、食器洗浄機の構成及び処理が複雑であるという問題があった。
【０００５】
本発明は斯かる事情に鑑みてなされたものであり、貯留部に貯留されている水の水位に応じて上下する浮体が所定位置以上の高さにあることを検出する検出部を備え、浮体が前記所定位置以上の高さにあることを検出した場合、ポンプを停止するように構成することにより、従来の食器洗浄機に比べて簡単な構成及び処理でポンプの異常動作を検出することができる食器洗浄機を提供することを目的とする。
【０００６】
また、貯留部と連通しており、浮体を上下移動可能に収容する収容部を洗浄槽の外側に備えることにより、食器に噴射された水が貯留部の水面を波打たせる場合であっても、水面の波打ちの影響を遮り、貯留部の水位に応じて上下する浮体によって、ポンプの異常動作を検出することができる食器洗浄機を提供することを他の目的とする。
【０００７】
更に、循環している水の水温を検出する水温検出部を備え、水温検出部が検出した水温に基づいて、水温の上昇の有無を判定し、水温が上昇していないと判定した場合、ポンプを停止させるように構成することにより、水位検出によってポンプの異常動作を検出する水位検出手段が故障した場合又は正常に動作していない場合であっても、ポンプの異常動作を検出することができる食器洗浄機を提供することを他の目的とする。
【課題を解決するための手段】
【０００８】
本発明に係る食器洗浄機は、洗浄槽内に所定量給水された水を貯留する貯留部と、該貯留部に貯留された水を吸引するポンプとを備え、該ポンプが吸引した水を前記洗浄槽内の食器に噴射するようにしてある食器洗浄機において、前記貯留部内の水位に応じて上下する浮体と、該浮体が所定位置以上の高さにあることを検出する検出手段と、前記浮体が前記所定位置以上の高さにあることを前記検出手段が検出した場合、前記ポンプを停止させる停止手段とを備えることを特徴とする。
【０００９】
本発明にあっては、ポンプが正常に動作していない場合、貯留部の水位は変化しない。つまり、ポンプが正常に動作している場合、貯留部の水がポンプによって吸引されるため、貯留部の水位は、ポンプが動作を開始する前に比べて低下するが、ポンプが正常に動作していない場合、貯留部の水が吸引されないため、水位は変化しない。検出手段は、浮体が所定位置以上の高さ、即ちポンプが正常に動作していない場合の高さにあることを検出する。浮体が所定位置以上の高さにあることを検出手段が検出した場合、停止手段は、ポンプを停止させる。
【００１０】
本発明に係る食器洗浄機は、前記貯留部と連通し、上下移動可能に前記浮体を収容する収容部を前記洗浄槽の外側に備えることを特徴とする。
【００１１】
本発明にあっては、洗浄槽内の食器に噴射された水が貯留部の水面を波打たせる場合があるが、貯留部と連通しており、浮体を収容した収容体が洗浄槽の外側に設けられているため、浮体は、噴射された水による波打ちの影響を受けにくい。従って、検出手段は、ポンプの動作に対応する貯留部の水位を浮体によって正確に検出でき、ポンプの異常動作を検出できる。
【００１２】
本発明に係る食器洗浄機は、前記貯留部の外部に配設しており、前記洗浄槽内で循環している水を加熱するヒータと、前記洗浄槽内の水温を検出する水温検出部と、該水温検出部が検出した水温に基づいて、前記ヒータが水を加熱している場合に水温が上昇しているか否かを判定する判定手段とを備え、前記停止手段は、水温が上昇していないと前記判定手段が判定した場合、前記ポンプを停止させるようにしてあることを特徴とする。
【００１３】
本発明にあっては、貯留部の外部に配設しているヒータが、洗浄槽内を循環している水を加熱する。従って、ヒータ及びポンプが動作し、洗浄槽内を水が循環している場合、水温は上昇する。従って、ヒータが動作している場合に水温が上昇しないとき、洗浄槽内を水が循環していない状態、つまりポンプが水を吸引していない状態にある。そこで、ヒータが動作している場合に、判定手段は、検出手段が検出した水温に基づいて、水温が上昇しているか否かを判定する。そして、水温が上昇していないと判定手段が判定した場合、停止手段はポンプを停止する。
【発明の効果】
【００１４】
本発明にあっては、水面の振動周波数が所定の周波数範囲にあるか否かを判定することによりポンプの異常動作を検出する場合に比べて、より簡単な構成及び処理でポンプの異常動作を検出することができる。また、ポンプの異常動作を検出することができる食器洗浄機を低コストで構成することができる。
【００１５】
本発明にあっては、食器に対して噴射された水が貯留部の水面を波打たせるような場合であっても、ポンプの異常動作を正確に検出することができる。
【００１６】
本発明にあっては、水位検出によってポンプの異常動作を検出する水位検出手段が故障した場合又は正常に動作していない場合であっても、ポンプの異常動作を検出することができる。
【発明を実施するための最良の形態】
【００１７】
以下、本発明をその実施の形態を示す図面に基づいて詳述する。
【００１８】
（実施の形態１）
図１は、本発明の実施の形態１に係る食器洗浄機の略示側断面図、図２は、食器洗浄機の略示上面断面図である。
【００１９】
図中１は、流し台に設置される底板部１ｂ及び底板部１ｂに略平行な天板部１ａを備えた略直方体形状の筐体であり、筐体１は、略直方体の洗浄槽１０を内部に備えている。筐体１及び洗浄槽１０は、食器Ａを出し入れするための開口部を正面側に有している。また、筐体１は、正面側の下部に、食器Ａの洗浄を開始する開始ボタン、洗浄を中止する中止ボタン、洗浄を再開する再開ボタンからなる受付部９１、及び後述するポンプ５０の異常動作を通知するための異常通知ランプ９２を備えている。
【００２０】
洗浄槽１０は、平面視で略矩形の底面部１０ａを有しており、底面部１０ａは、筐体１の底板部１ｂに対して略平行に配置されている。底面部１０ａの周縁部分には、背面壁１０ｃ、及び両側面壁１０ｅ，１０ｅが底面部１０ａに対して略垂直に形成されており、背面壁１０ｃ及び両側面壁１０ｅ，１０ｅの上端部分には、底板部１ｂに略平行な天面部１０ｄが形成されている。両側面壁１０ｅ，１０ｅの正面縁部は、上側にて背面側に湾曲している。背面壁１０ｃの略中心部には、外部から洗浄槽１０へ給水するための給水管６０が配設されており、給水管６０は給水管６０を開放又は閉塞する給水弁６１を備えている。
【００２１】
底面部１０ａの正面側右寄り部分には、洗浄槽１０の内部に給水された水を貯留する貯留部１１が凹設されている。底面部１０ａの正面側端部には、洗浄ノズル５１，５１より噴射された水を受けて貯留部１１に貯めるために必要な高さを有する正面壁１０ｂが底面部１０ａに対して略垂直に形成されていて、正面壁１０ｂの右寄り部分は、貯留部１１の正面部分と連続形成されている。
【００２２】
貯留部１１の背面部分には、パイプ（不図示）の一端が連結されており、パイプの他端には、貯留部１１の後方、洗浄槽１０と筐体１との間に配置されていて、貯留部１１に貯留している水を吸引し、吸引した水を洗浄ノズル５１，５１に加圧して送るポンプ５０が接続されている。ポンプ５０の更に後方には、ポンプ５０が備えるインペラを回転させるためのモータ５０ａが配置している。
【００２３】
洗浄ノズル５１，５１は、底面部１０ａの貯留部１１より後側に横方向に並設しており、ポンプ５０から送られた水を、食器かご４に載せられた食器Ａに噴射することで食器Ａを洗浄する。
【００２４】
洗浄槽１０の左側面壁１０ｅの正面寄り部分には、洗浄槽１０内を循環する水を加熱するヒータ８０，８０が左方向に向けて突設されている。ヒータ８０，８０は、ヒータカバー８１により覆われている。
【００２５】
底面部１０ａの横方向略中央部の正面寄り部分、つまり貯留部１１の外側であり、洗浄ノズル５１，５１から噴射された水を浴びるような部分には、水温を検出するサーミスタよりなる水温検出部８２が配設されている。
【００２６】
洗浄槽１０の右側面外側、つまり洗浄槽１０と筐体１との隙間には、貯留部１１内の水位を検出する水位検出部７が貯留部１１に隣接配置されている。
【００２７】
図３及び図４は、水位検出部７を模式的に示す部分側断面図である。図５は、水位検出部７を模式的に示す正面断面図である。水位検出部７は、洗浄槽１０の貯留部１１より外側に隣接配置されている略直方体の収容部７０、収容部７０に収容されている浮体７１、及び浮体７１の位置を検出する検出スイッチ７３から構成されている。浮体７１は、扁平なボトル状、即ち横方向に薄い略直方体部分と該略直方体部分の上面の略中心部から上側に突出した円柱部分とを有している。
【００２８】
収容部７０は、浮体７１が収容部７０内に遊嵌して、上下方向にのみ移動することができるような寸法及び形状を有している。収容部７０及び貯留部１１夫々の下側部分には、貯留部１１と収容部７０とを連通するための連通孔１１ｂ，７０ａが形成され、連通孔１１ｂ，７０ａは溶着されている。また、収容部７０の上端部には、貯留部１１の水位に応じて収容部７０の水位が変化するようにエア抜き用の孔が設けられている。
【００２９】
浮体７１の上端部には磁石７２が設けられており、食器洗浄に必要な水量、つまり洗浄中の貯留部１１の水位がポンプに連結されているパイプの口の上端より高くなるような水量の水を貯留部１１が貯留しているとき、図４に示すように浮体７１の磁石７２が近接してオンの状態となる検出スイッチ７３が、収容部７０の内側に配設されている。
【００３０】
検出スイッチ７３のオン／オフ状態は、洗浄槽１０の下方、洗浄槽１０と筐体１との間に配置されている制御部９０により検出されるように構成されている。
【００３１】
また、食器洗浄機は、洗浄槽１０及び筐体１の開口部を閉塞するための扉体２を備えており、扉体２は、支持アーム３により、洗浄槽１０に対して上下回動可能に支持されている。
【００３２】
図６は、食器洗浄機の構成を示すブロック図である。制御部９０は、受付部９１、検出スイッチ７３、水温検出部８２より出力された信号が入力される入力ポート９０ｅ、及びモータ５０ａを駆動するための制御信号をモータ駆動部５０ｂへ出力するための出力ポート９０ｆを備えている。また、制御部９０は、受付部９１、検出スイッチ７３、水温検出部８２から出力された信号に応じて、制御信号を出力ポート９０ｆからモータ駆動部５０ｂへ出力するためのプログラムを記憶しているＲＯＭ９０ｂ、一時的記憶用のＲＡＭ９０ｃ、及び計時部９０ｄを備えており、ＣＰＵ９０ａには、ＲＯＭ９０ｂ、ＲＡＭ９０ｃ、計時部９０ｄ、入力ポート９０ｅ、及び出力ポート９０ｆがバス９０ｇを介して接続されている。また、ヒータ８０，８０による水の加熱、及び異常通知ランプ９２の点灯は、出力ポート９０ｆを介して制御部９０により制御される。
【００３３】
モータ駆動部５０ｂは、制御部９０から出力される制御信号に応じてモータ５０ａを駆動し、ポンプ５０を動作させる。
【００３４】
図７は、給水に係るＣＰＵ９０ａの処理手順を示すフローチャートである。受付部９１の開始ボタンがオンになった場合、ＣＰＵ９０ａは、給水に係るサブルーチンを呼び出し、給水弁６１を開放する（ステップＳ１）。次いで、ＣＰＵ９０ａは、検出スイッチ７３の状態を検出して検出スイッチ７３がオンの状態にあるか否かを判定する（ステップＳ２）。
【００３５】
検出スイッチ７３がオンの状態にあると判定した場合（ステップＳ２：ＹＥＳ）、計時部９０ｄにより一定時間、例えば２秒を計時し（ステップＳ３）、２秒経過後に給水弁６１を閉塞する（ステップＳ４）。検出スイッチ７３がオンの状態にないと判定した場合（ステップＳ２：ＮＯ）、ＣＰＵ９０ａは、再びステップＳ２の処理を実行する。ステップＳ４の処理を終えた場合、ＣＰＵ９０ａは、給水に係るサブルーチンを終了する。
【００３６】
ステップＳ３の処理は、洗浄槽１０内を循環する水の一部が食器Ａ、及び洗浄槽１０の側面壁１０ｅ，１０ｅ、背面壁１０ｃ等に付着することで、貯留部１１の水位が給水完了時の水位より低下し、ポンプ５０の動作状態に関わらず検出スイッチ７３が常にオフの状態になることを避けるための処理であり、検出スイッチ７３がオンになった後、２秒間余分に給水を行うことにより、食器Ａ、及び洗浄槽１０の側面壁１０ｅ，１０ｅ、背面壁１０ｃ等に付着すると予測される分の水量を補い、ポンプ５０が異常動作を起こした場合に検出スイッチ７３がオンになるようにすることができる。
【００３７】
図８は、食器Ａの洗浄に係るＣＰＵ９０ａの処理手順を示すフローチャートである。ＣＰＵ９０ａは、給水に係るサブルーチンを終了した場合、食器Ａの洗浄に係るサブルーチンを呼び出し、計時部９０ｄによる計時を開始させる（ステップＳ１０）。次いで、ＣＰＵ９０ａは、モータ５０ａを駆動するための制御信号をモータ駆動部５０ｂへ出力する（ステップＳ１１）。
【００３８】
次いで、ＣＰＵ９０ａは、ヒータ８０，８０を動作させて、洗浄槽１０内を循環する水を加熱させる（ステップＳ１２）。そして、ＣＰＵ９０ａは、計時部９０ｄの計時結果を検出し、計時部９０ｄが２秒以上を計時しているか否かを判定する（ステップＳ１３）。計時部９０ｄが２秒以上を計時していると、ＣＰＵ９０ａが判定した場合（ステップＳ１３：ＹＥＳ）、検出スイッチ７３の状態を検出し、検出スイッチ７３がオンの状態にあるか否かを判定する（ステップＳ１４）。検出スイッチ７３がオンの状態にあると判定した場合（ステップＳ１４：ＹＥＳ）、ＣＰＵ９０ａは、モータ５０ａを停止させるための制御信号をモータ駆動部５０ｂへ出力し（ステップＳ１５）、異常通知ランプ９２を点灯させる（ステップＳ１６）。ステップＳ１３の処理は、ポンプ５０が動作してから、貯留部１１の水位が低下するまでの時間を計時することにより、洗浄開始時の水位がポンプ５０の異常動作によるものと誤って判断されることを防ぐための処理である。
【００３９】
ステップＳ１６の処理を終えた場合、ＣＰＵ９０ａは、受付部９１の再開ボタンの状態を検出して、再開ボタンがオンであるか否か、即ち洗浄の再開を受け付けたか否かを判定する（ステップＳ１７）。再開ボタンがオンであると判定した場合（ステップＳ１７：ＹＥＳ）、ＣＰＵ９０ａは、モータ５０ａを駆動するための制御信号をモータ駆動部５０ｂへ出力する（ステップＳ１８）。
【００４０】
再開ボタンがオフであると判定した場合（ステップＳ１７：ＮＯ）、ＣＰＵ９０ａは、受付部の中止ボタンの状態を検出し、中止ボタンがオンであるか否か、即ち洗浄の中止を受け付けたか否かを判定する（ステップＳ１９）。中止ボタンがオンであると判定した場合（ステップＳ１９：ＹＥＳ）、ＣＰＵ９０ａは、洗浄処理の終了に関する処理を実行し（ステップＳ２２）、食器Ａの洗浄に係るサブルーチンの処理を終了する。中止ボタンがオフであると判定した場合（ステップＳ１９：ＮＯ）、ＣＰＵ９０ａは、処理をステップＳ１７へ戻す。
【００４１】
ステップＳ１８の処理を終えた場合、ステップＳ１４において検出スイッチ７３がオンの状態にないと判定した場合（ステップＳ１４：ＮＯ）、ステップＳ１３において計時部９０ｄが２秒以上を計時していないと判定した場合（ステップＳ１３：ＮＯ）、ＣＰＵ９０ａは、計時部９０ｄの計時結果を検出し、計時部９０ｄが所定の洗浄時間を計時しているか否かを判定する（ステップＳ２０）。
【００４２】
所定の洗浄時間を計時していると判定した場合（ステップＳ２０：ＹＥＳ）、ＣＰＵ９０ａは、モータ５０ａを停止させるための制御信号をモータ駆動部５０ｂへ出力し（ステップＳ２１）、食器Ａの洗浄に係るサブルーチンの処理を終了する。所定の洗浄時間を計時していないと判定した場合（ステップＳ２０：ＮＯ）、ＣＰＵ９０ａは、処理をステップＳ１２へ戻す。
【００４３】
図９は、時間と、水位検出部７が出力する信号の電圧との関係を示すタイミングチャートである。時間ｔ０に、開始ボタンがオンになった場合、給水が開始される。そして、検出スイッチ７３がオンの状態になった時間ｔ１から２秒経過後に給水が停止される。
【００４４】
そして、ポンプ５０が駆動し、洗浄槽１０内を水が循環し始めた場合、貯留部１１の水位が低下し、時間ｔ２で検出スイッチ７３がオフの状態になる。以後、ポンプ５０が正常に動作している間、検出スイッチ７３はオフの状態となる。ポンプ５０が異常動作した場合、つまりポンプ５０が水を吸引しない場合、貯留部１１の水位が上昇し、検出スイッチ７３がオンの状態になる。図９においては、時間ｔ３でポンプ５０の異常動作を検出し、ポンプ５０を停止することができる。
【００４５】
このように構成される食器洗浄機にあっては、検出スイッチ７３のオン／オフを検出することにより、従来の食器洗浄機、例えば水面の振動周波数が所定の周波数範囲にあるか否かを判定することによりポンプ５０の異常動作を検出する食器洗浄機に比べて、より簡単な構成及び処理によってポンプ５０の異常動作を検出することができ、食器洗浄機をより低コストで構成することができる。
【００４６】
また、浮体７１及び検出スイッチ７３よりなる水位検出部７を、給水処理における給水量の検出に兼用することにより、より低コストでポンプ５０の異常動作を検出する食器洗浄機を構成することができる。
【００４７】
更に、食器Ａに対して噴射された水が貯留部１１の水面を波打たせる場合であっても、収容部７０に収容された浮体７１は波打ちの影響を受けにくいため、ポンプ５０の異常動作を正確に検出することができる。
【００４８】
なお、実施の形態１にあっては、ポンプの異常動作を異常通知ランプにより通知するように構成してあるが、異常通知ランプの点灯と共に、異常動作、異常が発生した時間等を記憶する記憶部を設けることにより、ポンプ５０の異常動作を記録することができるように構成しても良い。このように構成される食器洗浄機にあっては、ポンプに異常が発生した状況を記憶部から読み出すことにより、より速やかに食器洗浄機の故障又は異常に対応することができる。
【００４９】
（実施の形態２）
図１０は、本発明の実施の形態２における食器Ａの洗浄に係るＣＰＵ９０ａの処理手順を示すフローチャートである。本発明の実施の形態２に係るＣＰＵ９０ａは、図８に示したステップＳ１２の処理に代えて、図１０に示す処理を実行する。つまり、ステップＳ１１の処理を終えた後、ステップＳ１３の処理を実行する前に図１０に示すステップＳ１００からステップＳ１１３の処理を実行する。
【００５０】
ステップＳ１１の処理を終えた場合、ＣＰＵ９０ａは、計時部９０ｄの計時結果を検出し、計時部９０ｄが５ｎ秒を計時しているか否かを判定する（ステップＳ１００）。但し、ｎは自然数である。計時部９０ｄが５ｎ秒を計時していると判定した場合（ステップＳ１００：ＹＥＳ）、ＣＰＵ９０ａは、水温検出部８２の出力から水温Ｔを検出し（ステップＳ１０１）、検出した水温Ｔを時系列でＲＡＭ９０ｃに記憶させる（ステップＳ１０２）。
【００５１】
次いで、ＣＰＵ９０ａは、検出した水温Ｔが所定洗浄温度、例えば７０℃以上であるか否かを判定する（ステップＳ１０３）。水温Ｔが所定洗浄温度以上であると判定した場合（ステップＳ１０３：ＹＥＳ）、ＣＰＵ９０ａは、ヒータ８０，８０による水の加熱を停止させる（ステップＳ１０４）。水温Ｔが所定洗浄温度以上でないと判定した場合（ステップＳ１０３：ＮＯ）、ＣＰＵ９０ａは、ヒータ８０，８０が動作しているか否かを判定する（ステップＳ１０５）。
【００５２】
ヒータ８０，８０が動作していないと判定した場合（ステップＳ１０５：ＮＯ）、ＣＰＵ９０ａは、ヒータ８０，８０を動作させて、水を加熱させる（ステップＳ１０６）。
【００５３】
ステップＳ１０５においてヒータ８０，８０が動作していると判定した場合（ステップＳ１０５：ＹＥＳ）、ＣＰＵ９０ａは、ＲＡＭ９０ｃが記憶した時系列の水温Ｔを比較することにより、水温Ｔが上昇しているか否かを判定する（ステップＳ１０７）。水温Ｔが上昇していないと判定した場合（ステップＳ１０７：ＮＯ）、ＣＰＵ９０ａは、ヒータ８０，８０による水の加熱を停止させ、モータ５０ａを停止させる制御信号をモータ駆動部５０ｂへ出力する（ステップＳ１０８）。
【００５４】
次いで、ＣＰＵ９０ａは、異常通知ランプ９２を点灯させる（ステップＳ１０９）。そして、ＣＰＵ９０ａは、受付部９１の再開ボタンの状態を検出し、再開ボタンがオンであるか否か、即ち洗浄の再開を受け付けたか否かを判定する（ステップＳ１１０）。再開ボタンがオンであると判定した場合（ステップＳ１１０：ＹＥＳ）、ＣＰＵ９０ａは、モータ５０ａを駆動させる制御信号をモータ駆動部５０ｂへ出力する（ステップＳ１１１）。
【００５５】
再開ボタンがオフであると判定した場合（ステップＳ１１０：ＮＯ）、ＣＰＵ９０ａは、受付部９１の中止ボタンの状態を検出し、中止ボタンがオンであるか否か、即ち洗浄の中止を受け付けたか否かを判定する（ステップＳ１１２）。中止ボタンがオンであると判定した場合（ステップＳ１１２：ＹＥＳ）、ＣＰＵ９０ａは、洗浄処理の終了に関する処理を実行し（ステップＳ１１３）、食器Ａの洗浄に係るサブルーチンの処理を終了する。中止ボタンがオフであると判定した場合（ステップＳ１１２：ＮＯ）、ＣＰＵ９０ａは、処理をステップＳ１１０へ戻す。
【００５６】
ステップＳ１０４、ステップＳ１０６若しくはステップＳ１１１の処理を終えた場合、ステップＳ１００で計時部９０ｄが５ｎ秒を計時していないと判定した場合（ステップＳ１００：ＮＯ）、又は、ステップＳ１０７において水温が上昇していると判定した場合（ステップＳ１０７：ＹＥＳ）、ＣＰＵ９０ａは、ステップＳ１３の処理を実行する。
【００５７】
図１１は、時間と、水位検出部７の出力及び水温Ｔとの関係を示すグラフである。ヒータ８０，８０が動作している場合であって、ポンプ５０が正常に動作し、水が洗浄槽１０内を循環しているとき、Ｔ１で示すように水温が上昇する。ヒータ８０，８０が動作している場合であって、ポンプ５０が正常に動作しておらず、洗浄槽１０内を水が循環していないとき、Ｔ２で示すように水温は上昇しない。従って、ヒータ８０，８０が動作している場合に、水温の上昇の有無を検出することにより、ポンプ５０の異常を検出することができる。
【００５８】
本発明の実施の形態２に係るＣＰＵ９０ａの処理以外の他の構成、作用及び効果は、実施の形態１に係る食器洗浄機の構成、作用及び効果と同様であるため、対応する箇所には同様の符号を付してその詳細な説明を省略する。また、計時部９０ｄによる計時の開始、及びモータ５０ａを駆動させる処理は、図８に基づいて説明した本発明の実施の形態１のステップＳ１０及びステップＳ１１の処理と同様であり、ステップＳ１３以降の処理も、図８に基づいて説明したステップＳ１３乃至ステップＳ２２の処理と同様であるため、実施の形態１を参照するものとし、その説明を省略する。
【００５９】
このように構成される食器洗浄機にあっては、水位検出部７が故障した場合であっても、ポンプ５０の異常動作を検出することができる。
【００６０】
また、既存の水温検出部８２を利用してポンプ５０の異常動作又は水温検出部８２の異常を検出することができるため、低コストで、ポンプ５０の異常動作をより確実に検出することができる。
【図面の簡単な説明】
【００６１】
【図１】本発明の実施の形態１に係る食器洗浄機の略示側断面図である。
【図２】食器洗浄機の略示上面断面図である。
【図３】水位検出部を模式的に示す部分側断面図である。
【図４】水位検出部を模式的に示す部分側断面図である。
【図５】水位検出部を模式的に示す正面断面図である。
【図６】食器洗浄機の構成を示すブロック図である。
【図７】給水に係るＣＰＵの処理手順を示すフローチャートである。
【図８】食器の洗浄に係るＣＰＵの処理手順を示すフローチャートである。
【図９】時間と、水位検出部が出力する信号の電圧との関係を示すタイミングチャートである。
【図１０】本発明の実施の形態２における食器の洗浄に係るＣＰＵの処理手順を示すフローチャートである。
【図１１】時間と、水位検出部の出力及び水温Ｔとの関係を示すグラフである。
【符号の説明】
【００６２】
１  筐体
２  扉体
３  支持アーム
７  水位検出部
１０  洗浄槽
１０ａ  底面部
１０ｂ  正面壁
１０ｃ  背面壁
１０ｄ  天面部
１０ｅ，１０ｅ  側面壁
１１  貯留部
５０  ポンプ
５０ａ  モータ
５０ｂ  モータ駆動部
５１、５１  洗浄ノズル
６０  給水管
６１  給水弁
７０  収容部
７１  浮体
７２  磁石
７３  検出スイッチ
８０，８０  ヒータ
８２  水温検出部
９０  制御部
９０ａ  ＣＰＵ
９０ｂ  ＲＯＭ
９０ｃ  ＲＡＭ
９０ｄ  計時部
９０ｅ  入力ポート
９０ｆ  出力ポート
９０ｇ  バス
９１  受付部
９２  異常通知ランプ
Ａ  食器
【図１】
2006320394.tif 000003
【図２】
2006320394.tif 000004
【図３】
2006320394.tif 000005
【図４】
2006320394.tif 000006
【図５】
2006320394.tif 000007
【図６】
2006320394.tif 000008
【図７】
2006320394.tif 000009
【図８】
2006320394.tif 000010
【図９】
2006320394.tif 000011
【図１０】
2006320394.tif 000012
【図１１】
2006320394.tif 000013